(57)【特許請求の範囲】
【請求項１】
利用者の指紋情報と生年月日とＩＣカード保険証の有効期限と診療機関によって記録された利用者の酒やタバコを含む摂取禁止飲食物情報とを有する健康保険証をＩＣカード化したＩＣカード保険証を利用者に発行する健康保険組合と、
指紋を入力する指紋入力部と入力した指紋と前記ＩＣカード保険証上の指紋との照合を行う指紋照合部と日付の管理を行うカレンダ機構と前記ＩＣカード保険証を読み取り利用者への販売の可否を判断する販売可否判断部とを有する自動販売機と、を備えることを特徴とする自動販売システム。
【請求項２】
請求項１において、前記販売可否判断部は、前記指紋入力部が入力した指紋と前記ＩＣカード保険証の指紋照合の照合結果と、前記カレンダ機構から読み取った現在の年月日と前記ＩＣカード保険証の生年月日とから算出した利用者の年齢と、前記有効期限と、前記摂取禁止飲食物情報と、を元に販売の可否を判断することを特徴とする自動販売システム。
【請求項３】
健康保険証をＩＣカード化したＩＣカード保険証を利用者に発行する健康保険組合と、
前記健康保険組合からの前記ＩＣカード保険証の登録や更新情報の送信を受けると当該情報を保険証データベースに反映する認証機関と、
利用者が入力した保険証番号と指紋情報を前記認証機関に送信して該当する保険証情報の取り出しを前記認証機関から行う自動販売機と、
前記健康保険組合と前記認証機関と前記自動販売機とを接続するインターネットと、を備えることを特徴とする自動販売システム。
【請求項４】
請求項３において、前記自動販売機はＩＣカード保険証を携帯しない利用者の場合、利用者の入力した保険証番号と指紋を前記認証機関に送信し前記認証機関から利用者の保険証情報を取り出すことを特徴とする自動販売システム。
【請求項５】
請求項３または４において、前記認証機関は、前記自動販売機から受信した保険証番号を索引として前記保険証データベースを検索し、該当する保険証情報があればさらに前記自動販売機から受信した指紋情報と該保険証情報の指紋情報との比較を行い、一致すると該保険証情報を前記自動販売機に送信することを特徴とする自動販売システム。
【請求項６】
酒類、タバコ類を含む製品の自動販売機であって、指紋の入力を行う指紋入力部と、健康保険証をＩＣカード化したＩＣカード保険証の入力を行うＩＣカード入力部と、日付の管理を行うカレンダ機構と、前記ＩＣカード保険証の指紋と前記指紋入力部で入力した指紋との照合を行う指紋照合部と、前記ＩＣカード保険証の生年月日と前記カレンダ機構による現在の年月日とから算出した年齢と前記指紋照合部による照合結果と前記ＩＣカード保険証の有効期限と前記ＩＣカード保険証に記録された診療機関による利用者の酒やタバコを含む摂取禁止飲食物情報とから販売の可否を判断する販売可否判断部と、を備えることを特徴とする自動販売システム。
【請求項７】
保険証番号を索引として指紋情報を含む保険証情報からなるデータベースを管理し自動販売機から受信した保険証番号から該当する保険証情報を検索すると、該保険証情報の指紋と受信した指紋との照合を行い照合が一致すると該保険証情報を自動販売機に送信する認証機関と、
酒類、タバコ類を含む製品の自動販売機であって、指紋の入力を行う指紋入力部と、保険証番号の入力を行うキーボードと、日付の管理を行うカレンダ機構と、入力された前記指紋と前記保険証番号とを前記認証機関に送信する通信部と、前記認証機関から受信した保険証情報の生年月日と前記カレンダ機構による現在の年月日とから算出した年齢と前記保険証情報の有効期限と前記保険証情報に記録された診療機関による利用者の酒やタバコを含む摂取禁止飲食物情報とから販売の可否を判断する販売可否判断部と、を有する自動販売機と、
前記認証機関と前記自動販売機とを接続するインターネットと、を備えることを特徴とする自動販売システム。
【請求項８】
酒類、タバコ類を含む製品の自動販売方法であって、
保険証をＩＣカード化したＩＣカード保険証を読み、指紋、生年月日、ＩＣカード保険証の有効期限と前記保険証情報に記録された診療機関による利用者の酒やタバコを含む摂取禁止飲食物情報とを取り出す第１のステップと、
日付の管理を行うカレンダ機構から現在の年月日を取り出す第２のステップと、
前記第１のステップで取り出した生年月日と前記第２のステップで取り出した現在の年月日とから年齢を算出し二十歳未満には販売を行わないと判断する第３のステップと、
前記第１のステップで取り出した有効期限と前記第２のステップで取り出した現在の年月日とから有効期限切れでは販売を行わないと判断する第４のステップと、
前記第１のステップで取り出した摂取禁止飲食物情報に販売する製品が該当すると販売を行わないと判断する第５のステップと、
入力された指紋と前記第１のステップで取り込んだ指紋とを照合し不一致の場合は販売を行わないと判断する第６のステップと、
を備えることを特徴とする自動販売方法。
【請求項９】
酒類、タバコ類を含む製品の自動販売機における自動販売方法であって、
キーボードから入力される保険証番号を受け付ける第１のステップと、
指紋の入力を受け付ける第２のステップと、
前記第１のステップで入力した保険証番号と前記第２のステップで入力した指紋とを認証機関に送信する第３のステップと、
前記認証機関は受信した保険証番号を索引として指紋情報を含み保険証情報からなるデータベースを検索し該当する保険証情報を検出すると、該保険証情報の指紋と受信した指紋との照合を行い一致すると該保険証情報を自動販売機に送信する第４のステップと、
日付の管理を行うカレンダ機構から現在の年月日を取り出す第５のステップと、
前記第４のステップで取り出した前記保険証情報の生年月日と前記第５のステップで取り出した現在の年月日とから年齢を算出し二十歳未満には販売を行わないと判断する第６のステップと、
前記第４のステップで取り出した保険証情報の有効期限と前記第５のステップで取り出した現在の年月日とから保険証情報が有効期限切れでは販売を行わないと判断する第７のステップと、
前記第４のステップで取り出した摂取禁止飲食物情報に自動販売機で販売する製品が該当すると販売を行わないと判断する第８のステップと、
を備えることを特徴とする自動販売方法。
【発明の詳細な説明】
【０００１】
【発明の属する技術分野】
本発明は、酒、タバコ類の自動販売機の深夜の時間帯の販売に関し、特に健康保険証をＩＣカード化したＩＣカード保険証を自動販売機が読み取ることで成人か未成年かを判定して販売を行う個人認証による自動販売システムおよび自動販売方法に関する。
【０００２】
【従来の技術】
従来のタバコやアルコール飲料等の自動販売機では、深夜の販売が規制されており、本来は自由に購入が可能なはずの成人が、お酒が飲みたくなったり、煙草が吸いたくなっても販売が停止された深夜には自動販売機による購入をすることは出来ない。また、逆に、タバコやアルコール飲料等は未成年者の喫煙・飲酒が禁じられているにも関わらず、深夜の販売時間帯を除けば、自動販売機による未成年者の購入ができるため、違法な喫煙・飲酒が可能な状態であり、自動販売機の深夜の販売停止措置は、本来の目的を十分に達成しているとは言い難い状況にある。
【０００３】
【発明が解決しようとする課題】
上述した問題の改善を図るために未成年者への酒類、タバコ類の自動販売機による販売規制の一例として、特開２０００−３３９５２７号、特開２０００−１５５８１７号がある。これらの発明の内容は、自動販売機の管理者である販売店の関係者が購入希望者を目視で確認して成人かどうかを判断し、成人と判断すると自動販売機を利用するためのカードを購入希望者に発行する内容を有するものである。すなわち、販売店の店員が目視で自動販売機による購入希望者が成人かどうかを判断し、成人と判断すると購入カードを発行する。購入希望者は、自動販売機によるアルコール類の購入に先だってカードを読み込ませ、暗証番号を入力する。入力を受け付けた自動販売機は、購入希望者が成人かどうかを判定し成人の場合には販売を許可するようになっている。
【０００４】
しかし、この従来技術には、次のような問題点があった。
【０００５】
第１の問題点は、成人か未成年かの判断を目視によるため未成年者を誤って成人と判断することである。目視による理由は、全国民の社会的な身分等を証明する共通の手段がないためである。
【０００６】
第２の問題点は、販売店で発行するカードがアルコール類を自動販売機で購入目的にのみ限定されるにも関わらず、そのために高価なカードを発行する必要があることである。これは販売店の負担以外に、購買者側にもアルコール類を自動販売機で購入する為だけの専用カードを携帯するという煩わしさが発生する。
【０００７】
以上のような問題の解決を図るため、本発明は、自動販売機を利用する個人について当該個人が自動販売機による商品の購入が可能な資格を持つか否かの認証方法として、健康保険証をＩＣカード化したＩＣカード保険証を使用するものである。ＩＣカード保険証の発行時に保険証番号や生年月日等の登録と指紋を登録することにより、タバコやアルコール類の購入時に自動販売機にＩＣカード保険証と自動販売機で読み取った指紋を照合することにより、購入者が確実に本人であり且つ未成年者でないことを確認した上で販売することが可能となる。
【０００８】
さらに、健康診断でアルコールやタバコの使用が止められているにもかかわらず、医者に無断で購入ができるという問題についてもＩＣカード保険証上に記録された健康診断情報を元に判断し併せて解決を図るものである。
【０００９】
【課題を解決するための手段】
本発明の第１の自動販売システムは、利用者の指紋情報と生年月日とＩＣカード保険証の有効期限と診療機関によって記録された利用者の酒やタバコを含む摂取禁止飲食物情報とを有する健康保険証をＩＣカード化したＩＣカード保険証を利用者に発行する健康保険組合と、
指紋を入力する指紋入力部と入力した指紋と前記ＩＣカード保険証上の指紋との照合を行う指紋照合部と日付の管理を行うカレンダ機構と前記ＩＣカード保険証を読み取り利用者への販売の可否を判断する販売可否判断部とを有する自動販売機と、を備える。
【００１１】
本発明の第２の自動販売システムは、第１の発明において、前記販売可否判断部は、前記指紋入力部が入力した指紋と前記ＩＣカード保険証の指紋照合の照合結果と、前記カレンダ機構から読み取った現在の年月日と前記ＩＣカード保険証の生年月日とから算出した利用者の年齢と、前記有効期限と、前記摂取禁止飲食物情報と、を元に販売の可否を判断することを備える。
【００１２】
本発明の第３の自動販売システムは、健康保険証をＩＣカード化したＩＣカード保険証を利用者に発行する健康保険組合と、
前記健康保険組合からの前記ＩＣカード保険証の登録や更新情報の送信を受けると当該情報を保険証データベースに反映する認証機関と、
利用者が入力した保険証番号と指紋情報を前記認証機関に送信して該当する保険証情報の取り出しを前記認証機関から行う自動販売機と、
前記健康保険組合と前記認証機関と前記自動販売機とを接続するインターネットと、を備える。
【００１３】
本発明の第４の自動販売システムは、第３の発明において、前記自動販売機はＩＣカード保険証を携帯しない利用者の場合、利用者の入力した保険証番号と指紋を前記認証機関に送信し前記認証機関から利用者の保険証情報を取り出すことを備える。
【００１４】
本発明の第５の自動販売システムは、第３または第４の発明において、前記認証機関は、前記自動販売機から受信した保険証番号を索引として前記保険証データベースを検索し、該当する保険証情報があればさらに前記自動販売機から受信した指紋情報と該保険証情報の指紋情報との比較を行い、一致すると該保険証情報を前記自動販売機に送信することを備える。
【００１５】
本発明の第６の自動販売システムは、酒類、タバコ類を含む製品の自動販売機であって、指紋の入力を行う指紋入力部と、健康保険証をＩＣカード化したＩＣカード保険証の入力を行うＩＣカード入力部と、日付の管理を行うカレンダ機構と、前記ＩＣカード保険証の指紋と前記指紋入力部で入力した指紋との照合を行う指紋照合部と、前記ＩＣカード保険証の生年月日と前記カレンダ機構による現在の年月日とから算出した年齢と前記指紋照合部による照合結果と前記ＩＣカード保険証の有効期限と前記ＩＣカード保険証に記録された診療機関による利用者の酒やタバコを含む摂取禁止飲食物情報とから販売の可否を判断する販売可否判断部と、を備える。
【００１６】
本発明の第７の自動販売システムは、保険証番号を索引として指紋情報を含む保険証情報からなるデータベースを管理し自動販売機から受信した保険証番号から該当する保険証情報を検索すると、該保険証情報の指紋と受信した指紋との照合を行い照合が一致すると該保険証情報を自動販売機に送信する認証機関と、
酒類、タバコ類を含む製品の自動販売機であって、指紋の入力を行う指紋入力部と、保険証番号の入力を行うキーボードと、日付の管理を行うカレンダ機構と、入力された前記指紋と前記保険証番号とを前記認証機関に送信する通信部と、前記認証機関から受信した保険証情報の生年月日と前記カレンダ機構による現在の年月日とから算出した年齢と前記保険証情報の有効期限と前記保険証情報に記録された診療機関による利用者の酒やタバコを含む摂取禁止飲食物情報とから販売の可否を判断する販売可否判断部と、を有する自動販売機と、
前記認証機関と前記自動販売機とを接続するインターネットと、を備える。
【００１７】
本発明の第１の自動販売方法は、酒類、タバコ類を含む製品の自動販売方法であって、
保険証をＩＣカード化したＩＣカード保険証を読み、指紋、生年月日、ＩＣカード保険証の有効期限と前記保険証情報に記録された診療機関による利用者の酒やタバコを含む摂取禁止飲食物情報とを取り出す第１のステップと、
日付の管理を行うカレンダ機構から現在の年月日を取り出す第２のステップと、
前記第１のステップで取り出した生年月日と前記第２のステップで取り出した現在の年月日とから年齢を算出し二十歳未満には販売を行わないと判断する第３のステップと、
前記第１のステップで取り出した有効期限と前記第２のステップで取り出した現在の年月日とから有効期限切れでは販売を行わないと判断する第４のステップと、
前記第１のステップで取り出した摂取禁止飲食物情報に販売する製品が該当すると販売を行わないと判断する第５のステップと、
入力された指紋と前記第１のステップで取り込んだ指紋とを照合し不一致の場合は販売を行わないと判断する第６のステップと、
を備える。
【００１８】
本発明の第２の自動販売方法は、酒類、タバコ類を含む製品の自動販売機における自動販売方法であって、
キーボードから入力される保険証番号を受け付ける第１のステップと、
指紋の入力を受け付ける第２のステップと、
前記第１のステップで入力した保険証番号と前記第２のステップで入力した指紋とを認証機関に送信する第３のステップと、
前記認証機関は受信した保険証番号を索引として指紋情報を含み保険証情報からなるデータベースを検索し該当する保険証情報を検出すると、該保険証情報の指紋と受信した指紋との照合を行い一致すると該保険証情報を自動販売機に送信する第４のステップと、
日付の管理を行うカレンダ機構から現在の年月日を取り出す第５のステップと、
前記第４のステップで取り出した前記保険証情報の生年月日と前記第５のステップで取り出した現在の年月日とから年齢を算出し二十歳未満には販売を行わないと判断する第６のステップと、
前記第４のステップで取り出した保険証情報の有効期限と前記第５のステップで取り出した現在の年月日とから保険証情報が有効期限切れでは販売を行わないと判断する第７のステップと、
前記第４のステップで取り出した摂取禁止飲食物情報に自動販売機で販売する製品が該当すると販売を行わないと判断する第８のステップと、
を備える。
【００１９】
【発明の実施の形態】
次に、本発明の実施例について図面を参照して詳細に説明する。
【００２０】
図１は本発明の自動販売システムおよび自動販売方法の構成を示すもので本発明に関係する部分について記載している。
【００２１】
酒類、タバコ類の自動販売をする自動販売機１と、健康保険証をＩＣカード化したＩＣカード保険証２５と、ＩＣカード化した保険証を利用者に発行したり更新をするＩＣカード保険証の発行機関であり保険証情報を認証機関に発行や更新の都度送信する健康保険組合３０と、健康保険組合３０から送信された保険証情報をデータベースとして蓄積管理する認証機関３５と、自動販売機１と健康保険組合３０と認証機関３５とを接続するインターネット４０と、から構成される。
【００２２】
自動販売機１は、全体の制御を行うＣＰＵ１０と、紙幣や硬貨等の金銭を入力する金銭入力部１１と、利用者の指紋を入力する指紋入力部１２と、ＩＣカード保険証をセットしてその情報の入力をするＩＣカード入力部１３と、入力されたＩＣカード保険証と指紋情報を元に利用者の購入の可否を決定する販売可否判断部１４と、指紋の照合を行う指紋照合部１５と、入力された指紋を一時的に記憶する指紋一時記憶部１６と、利用者へのメッセージの表示を行う表示器１７と、日付の管理を行うカレンダ機構１８と、認証機関との通信を行う通信部１９と、保険証番号等の入力をするためのキーボード（図示略）と、を備える。都道府県や市町村単位の住民に対してそのＩＣカード保険証２５の情報の蓄積管理を行う認証機関３５と、自動販売機１と認証機関３５とを接続するインターネット４０と、を備える。
【００２３】
認証機関３５は、都道府県や市町村単位の住民に対してそのＩＣカード保険証２５の情報の蓄積管理を行い、認証機関３５同士はインターネット４０を含むネットワークで接続され、認証機関３５が自動販売機１によって指定された保険証番号に関する保険証情報を持たない場合、他の認証機関３５に当該保険証番号によって保険証情報の問い合わせができるような形で相互に接続されているものとする。このようにして他の認証機関３５に問い合わせた結果、該当する保険証番号を有する保険証情報の検索ができた場合、また、検索ができなかった場合、その結果は元の認証機関３５に通知される。
【００２４】
自動販売機１での購入を行う利用者は、ＩＣカード保険証２５の発給を行う各健康保健組合３０や各市区町村で事前に受給している。このＩＣカード保険証２５は、小児も含め日本国民全員が発給を受けているものとする。
【００２５】
各ＩＣカード保険証２５には、保険証発行組合名、保険証発行日、有効期限、保険証番号、本人氏名、本人の生年月日、本人の住所等と本人の指紋を登録しておく。指紋については２値画像のみでなくその２値画像から得られる特徴点である端点や分岐点の位置とその方向とを含む特徴点情報の両方を含んでいてもよい。また指紋に特定することなく虹彩等の他のバイオメトリックス情報であってもよい。
【００２６】
また、病院等の診療機関での診察の結果、当該利用者について酒やタバコ、その他、診療機関から摂取を禁止する飲食物等にその旨の記録がされる情報部も含んでいる。病院等の診療機関での初診時や月の初めには保険証の提示が求められるが、このとき利用者が診療機関に提出したＩＣカード保険証２５に摂取を禁止するアルコールやタバコを含む市販される薬物等が摂取禁止飲食物情報として記録される。
【００２７】
ＩＣカード保険証２５に登録された各データはその発給を行った各健康保健組合３０や市区町村の役所の他に、認証機関３５にもインターネット４０を介して送信され認証機関３５でも保管される。認証機関３５には各健康保険組合３０や各市町村の役所で登録された保険証の変更が起こりにくい基本項目データがインターネット４０を経由する通信機能によって、または大量の初期登録時等にはＣＤ−ＲＯＭ等の媒体に格納して郵送される。尚、健康保険証の内容が更新されると更新された情報は即刻認証機関３５にインターネット４０で通知されるので、認証機関３５は該当する保険証情報の更新を即時に実行する。また、健康保険組合３０から認証機関３５へのアクセス時にはユーザの認証情報、保険証情報すべてが暗号化されて送信され、受け取った認証機関３５ではその復号化を行って健康保険組合３０の正当性を確認するようになっている。
【００２８】
基本項目データは、保険証発行組合名、保険証発行日、ＩＣカード保険証の有効期限、保険証番号、本人氏名、本人の生年月日、本人の住所等と本人の指紋を含むものである。認証機関３５では受け取った個人毎のＩＣカード保険証２５の情報を暗号化し保険証番号を索引として持つ保険証データベースとして安全に保管する。
【００２９】
次に、本発明の第１の実施例の動作について図３のフローチャートを使用して説明を行う。
【００３０】
タバコやアルコール類を販売する自動販売機によって購入しようとする利用者は、最初に自動販売機１のＩＣカード入力部１３にＩＣカード保険証２５を挿入する。ＩＣカード入力部１３は入力されたＩＣカード保険証２５の指紋情報を読み込み、指紋一時記憶部１６に記憶する。ＩＣカード保険証２５に指紋の特徴点情報を持つ場合はその情報のみ読み取っても構わない。さらに、ＩＣカード入力部１３は、ＩＣカード保険証２５の生年月日、有効期限、摂取禁止飲食物情報を読み取る（ステップＳ１）。読み取りが終了するとＩＣカード保険証２５を自動販売機１から排出する。ＩＣカード入力１３は読み取った生年月日、有効期限、摂取禁止飲食物情報を販売可否判断部１４に渡す。
【００３１】
販売可否判断部１４は、カレンダ機構１８から現時点の年月日を入手すると、ＩＣカード保険証２５のＩＣカード保険証２５の有効期限と比較し有効期限が過ぎていれば販売を許可しない（ステップＳ２）。次に現時点の年月日と生年月日とから利用者の満年齢を計算し２０才未満であれば販売を許可しない（ステップＳ３）。最後に摂取禁止飲食物情報に自動販売機１の販売する商品が該当していればこの場合も販売を許可しない（ステップＳ４）。いずれの販売を許可しない場合にも販売可否判断部は販売を行わない理由を含めたメッセージを表示器１７に５秒程度表示して利用者に通知する。販売可否判断部１４は以上のチェックに問題が無い場合は表示器１７に「指紋の入力をお願いします」等の操作メッセージを表示して利用者に通知する。
【００３２】
利用者はこの操作メッセージに従い、指紋入力部１２によってＩＣカード保険証２５に登録した指の指紋を読み取らせる。指紋入力部１２は読み取った指紋画像を２値化して指紋一時記憶部１６に記録する（ステップＳ５）。
【００３３】
指紋入力部１２による指紋の入力が終えると、指紋照合部１５によって指紋一時記憶部１６上の指紋の照合が行われる。指紋照合部１５はＩＣカードから読み取った指紋情報と指紋入力部１２が読み取った２値画像の指紋から指紋の特徴点の抽出を行い、特徴点同士の比較を行う（ステップＳ６）。ＩＣカード保険証２５から読み取った指紋情報が既に特徴点情報となっている場合は、特徴点の抽出をする必要が無いことになる。この指紋照合部１６による照合の一致不一致の結果は、販売可否判断部１４に通知される。
【００３４】
販売可否判断部１４では、一致の報告が行われると、ＩＣカード保険証２５の携帯者は本人と確認できたことになり、販売を許可することになる（ステップＳ７）。このとき表示器１７には「商品をお選び下さい」等のメッセージを表示器１７に表示して金銭入力部１１による金銭の受け取りを可能とする。販売可否判断部１４は、不一致の場合、「指紋の照合に失敗しました」等のメッセージを表示して販売を許可しないことになる（ステップＳ８）。
【００３５】
次に、本発明の第２の実施例について説明をする。
【００３６】
本実施例は、利用者がＩＣカード保険証２５の携帯を忘れた時、またはＩＣカード保険証の携帯を不要とする自動販売機１で商品を購入する場合に関するもので、図２と図４のフローチャートを元に説明する。この場合、図２の構成に示すように自動販売機１には、図１の構成で説明したＩＣカード入力部１３，指紋照合部１５、ＩＣカード保険証２５は不要となる。但し、これは図１の構成を持つ自動販売機１において、本実施例の適用ができないことを意味するわけではない。
【００３７】
自動販売機１の指紋入力部１２より指紋を読み取らせ、認証機関３０にて利用者の正当性の確認をする。この場合、入力した指紋の２値化等の操作機能は自動販売機１には持たせず、入力した指紋を多値画像として認証機関３０にそのまま送信するようにしてもよい。認証機関３０で確認された保険証の登録内容により、本人が未成年者であるかどうかを判定し、自動販売機１による販売を許可することにより２４時間自動販売機でタバコやアルコール類を販売できる。
【００３８】
まず、利用者は自動販売機１のキーボード（図示略）より、ＩＣカード保険証２５の保険証番号を入力する（ステップＳ９）。これは、認証機関３５がＩＣカード保険証データベースを検索する時の索引情報となる。次に、自動販売機１の指紋入力部１２より登録した指の指紋を入力する（ステップＳ１０）。通信部１９はキーボードから入力された保険証番号と指紋入力部１２が読み取った指紋情報とをインターネット４０を経由して認証機関３５に送信する（ステップＳ１１）。
【００３９】
認証機関３５ではＩＣカード保険証データベースを受信した保険証番号によって検索し（ステップＳ１２）、利用者の保険証情報を取りだしを行おうとする（ステップＳ１３）。検索の結果、該当する保険証情報が存在しない場合はエラーとして自動販売機１に通知する。続いて受信した指紋情報と保険証情報中の指紋情報とを照合比較して一致、不一致の判定を行う（ステップＳ１４）。一致した場合はさらに生年月日、有効期限、摂取飲食物禁止情報を保険証情報から取り出してその取り出した内容を自動販売機１に送信する（ステップＳ１５）。
【００４０】
自動販売機１の通信部１９はこの応答内容を受信すると、その結果を販売可否判断部１４に通知する。販売可否判断部１４は前述したように販売の可否を判断し販売が可能と判断すると自動販売機１を販売を許可するモードにし（ステップＳ１７）、販売が不可と判断すると販売を許可しないモードにして（ステップＳ１８）、表示器１７によって利用者にその旨を通知する。具体的には、日付の管理を行うカレンダ機構１８から現在の年月日を取り出し、認証機関３５から受信した保険証情報の生年月日と現在の年月日とから年齢を算出し、二十歳未満の利用者には販売を行わないと判断する。続いて保険証情報の有効期限と現在の年月日とを比較し有効期限切れでは販売を行わないと判断する。最後に保険証情報の摂取禁止飲食物情報にこの自動販売機１が販売する製品が該当するかをチェックし該当すれば販売を行わないと判断することになる。
【００４１】
【発明の効果】
第１の効果は、確実に未成年者かどうかを判断できることにある。その理由は、読み取り指紋によりＩＣカード保険証が本人であることを確認し、ＩＣカードの生年月日から年齢を判断できるためである。
【００４２】
第２の効果は、未成年者の自動販売機によるタバコ、アルコール類の購入を２４時間できなくできることにある。その理由は、年齢を確実に判断できるためである。
【００４３】
第３の効果は、アルコール類を自動販売機で２４時間販売可能にできることにある。その理由は、年齢を確実に判断できるためである。
【００４４】
第４の効果として、本人の身分証明手段として運転免許証、パスポートや社員証等があるが、全国民が確実に所持する保険証をＩＣカード化することにより、身分を証明できる点である。
【図面の簡単な説明】
【図１】本発明の第１の実施例の構成を説明するブロック図である。
【図２】本発明の第２の実施例の構成を説明するブロック図である。
【図３】本発明の第１の実施例の動作を説明するフローチャートである。
【図４】本発明の第２の実施例の動作を説明するフローチャートである。
【符号の説明】
１    自動販売機
１０    ＣＰＵ
１１    金銭入力部
１２    指紋入力部
１３    ＩＣカード入力部
１４    販売可否判断部
１５    指紋照合部
１６    指紋一時記憶部
１７    表示器
１８    カレンダ機構
１９    通信部
２５    ＩＣカード保険証
３０    健康保険組合
３５    認証機関
４０    インターネット
【図１】
0003808329.tif 000002
【図２】
0003808329.tif 000003
【図３】
0003808329.tif 000004
【図４】
0003808329.tif 000005